(57)【要約】【課題】ビューファインダー内の表示パネル基板は、発熱源であるが、表示パネルは過度な熱が加わると画質が劣化するという問題があるため、ビューファインダーの表示パネルは発熱源の熱を逃がし、周囲温度を下げるような放熱構成が求められている。【解決手段】ビューファインダー内の熱源となる基板の裏面に放熱部材を配置し、放熱部材に接する接触部と、接触部から本体内部の熱源から遠ざかる方向に延在する放熱部とを備えた放熱シート部材を有し、放熱シート部材の放熱部は、少なくとも１回以上折り返されている。【選択図】図３
2016054425.tif 000002
【特許請求の範囲】
【請求項１】
内部に熱源を有する基板を配置したビューファインダーを備える撮像装置において、前記ビューファインダー内の熱源となる基板の裏面に放熱部材を配置し、放熱部材に接する接触部と、前記接触部から本体内部の熱源から遠ざかる方向に延在する放熱部とを備えた放熱シート部材を有し、前記放熱シート部材の放熱部は、少なくとも１回以上折り返されていることを特徴とする撮像装置のビューファインダー。
【請求項２】
前記放熱シートの放熱部は、熱伝導率の低い外観部で覆われていることを特徴とする請求項１に記載の撮像装置のビューファインダー。
【請求項３】
前記放熱シートは、ビューファインダー内の熱源となる基板と並行に配置される接触部と、接触部からビューファインダー上面に延在する放熱部と、固定部とで構成されることを特徴とする請求項１に記載の撮像装置のビューファインダー。
【請求項４】
前記ビューファインダーは内部に光学部品や表示パネルを内包するユニットホルダーを備え、前記放熱シートは前記ユニットホルダーに位置決めされ、前記放熱シートの固定部は前記ユニットホルダーに固定されることを特徴とする請求項１に記載の撮像装置のビューファインダー。
【請求項５】
前記放熱シートは片面が金属箔シートでもう片面が絶縁シートから成り、ファインダー内の熱源となる基板の裏面に配置される放熱部材に接する放熱シートの接触面は、絶縁シート面であることを特徴とする請求項１に記載の撮像装置のビューファインダー。
【発明の詳細な説明】
【技術分野】
【０００１】
本発明は、ビューファインダーを有する撮像装置の放熱方法に関する。
【背景技術】
【０００２】
従来、ビデオカメラ等には、撮影者が被写体を確認するために覗くビューファインダーが設けられている。ビューファインダーは、一般的に、被写体像を表示するための表示パネルや光学系、表示パネルを実装するパネル基板、表示パネルとビデオカメラ本体とをつないで映像信号を流す回路基板、それらを保持するためのホルダー、ホルダーを覆う外観部等で構成されている。
【０００３】
表示パネルは主に発光部と液晶部と駆動部等で構成されており、それぞれが発熱源となっている。更に、ビデオカメラ本体の発熱源とビューファインダーが近い距離で配置されている場合、本体側の熱によってビューファインダーの周囲温度も上昇するため、自身の発熱以外に周囲の熱にもさらされることになる。
【０００４】
しかしながら、表示パネルは過度な熱が加わると画質が劣化するという問題があるため、ビューファインダーの表示パネルは発熱源の熱を逃がし、周囲温度を下げるような放熱構成が求められている。
【０００５】
一方、従来より熱対策のために、特許文献１に開示されているように、駆動手段の一部の表面積を拡大して筺体へ熱伝導させるヒートシンク構造が知られている。これによって、駆動手段から筺体へ移動する熱量を増加させ、移動した熱は筺体から外部へ放散されるため、筺体内部の温度上昇を抑制し駆動手段の冷却効果が向上する。
【先行技術文献】
【特許文献】
【０００６】
【特許文献１】特開２００６−１３５０７３号公報
【発明の概要】
【発明が解決しようとする課題】
【０００７】
しかしながら、上記構成をビューファインダーに適用しようとすると、表面積を拡大した部品を配置するためのスペースが必要となり、ビューファインダーが大型化してしまうと共に、複雑な形状であるためコストも増大する。
【０００８】
そこで、本発明の第１の目的は、省スペース低コストでビューファインダー内の放熱を実現することである。
【０００９】
また、本発明の第２の目的は、ビューファインダーの外観部の温度上昇を軽減させる構造を実現することである。
【００１０】
また、本発明の第３の目的は、ビューファインダーの内部温度も下げることである。
【００１１】
また、本発明の第４の目的は、ビューファインダーの放熱構造の組立て性改善である。
【００１２】
また、本発明の第５の目的は、電気部品の破壊や誤動作を防ぐことである。
【課題を解決するための手段】
【００１３】
上記の目的を達成するために、本発明は、内部に熱源を有する基板を配置したビューファインダーを備える撮像装置において、前記ビューファインダー内の熱源となる基板の裏面に放熱部材を配置し、放熱部材に接する接触部と、前記接触部から本体内部の熱源から遠ざかる方向に延在する放熱部とを備えた放熱シート部材を有し、前記放熱シート部材の放熱部は、少なくとも１回以上折り返されていることを特徴とする。
【００１４】
また、本発明のその他の特徴とするところは、前記放熱シートの放熱部は、熱伝導率の低い外観部で覆われていることである。
【００１５】
また、本発明のその他の特徴とするところは、前記放熱シートは、ビューファインダー内の熱源となる基板と略並行に配置される接触部と、接触部からビューファインダー上面に延在する放熱部と、固定部とで構成されることである。
【００１６】
また、本発明のその他の特徴とするところは、前記ビューファインダーは内部に光学部品や表示パネルを内包するユニットホルダーを備え、前記放熱シートは前記ユニットホルダーに位置決めされ、前記放熱シートの固定部は前記ユニットホルダーに固定されることである。
【００１７】
また、本発明のその他の特徴とするところは、前記放熱シートは片面が金属箔シートでもう片面が絶縁シートから成り、ファインダー内の熱源となる基板の裏面に配置される放熱部材に接する放熱シートの接触面は、絶縁シート面であることである。
【発明の効果】
【００１８】
本発明の第１の発明によれば、省スペース低コストで、熱源の熱を表面積の大きな放熱シートに拡散させることで、放熱効果を高めることができる。
【００１９】
また、本発明の第２の発明によれば、熱源が外観近傍に配置されていても、熱伝導率の低い外装で覆われているため、外観部の温度上昇を抑えられる。
【００２０】
また、本発明の第３の発明によれば、ビューファインダー下部で発生する熱も上面の放熱部で放熱できるため、更なる放熱効果を実現できる。
【００２１】
また、本発明の第４の発明によれば、放熱シートはユニットホルダーに位置決めされるため、組立て性も良く、組立て後に放熱シートが暴れることもない。
【００２２】
また、本発明の第５の発明によれば、放熱シートの絶縁シート側がパネル基板側に配置されるため、パネル基板がショートする心配がない。
【図面の簡単な説明】
【００２３】
【図１】本発明の実施の形態のビデオカメラの、前方から見た斜視図。
【図２】本発明の実施の形態のビューファインダーの断面斜視図。
【図３】本発明の実施の形態の放熱シートの説明図。
【図４】本発明の実施の形態の放熱経路図。
【図５】本発明の実施の形態の拡張放熱シートの説明図。
【発明を実施するための形態】
【００２４】
以下に、本発明の実施の形態を好適な実施例に基づき、図面を用いて詳細に説明する。
【００２５】
図１に、本発明に係る実施の形態のビデオカメラを正面から見た斜視図を示す。図１において、１はビデオカメラ本体、２はビデオカメラ本体１の背面上部に設けられたビューファインダー、３は不図示のレンズを装着するマウント部、４は撮影ボタンである。撮影者は、マウント部３にレンズを装着し、ビューファインダー２又は不図示の表示部で撮影画像を確認し、撮影ボタン４を押して撮影を開始する。ここで、図１に示すように、ビデオカメラ本体１のレンズ光軸方向をＺ軸、ビデオカメラ本体１の左右方向をＸ軸、ビデオカメラ本体１の上下方向をＹ軸とし、各＋−方向は図示の矢印の通りとする。
【００２６】
図２は、ビューファインダー２周辺を光軸を中心にした断面図であり、−Ｘ方向から見た図である。図２において、２０１は上カバー、２０２は下カバー、２０３は上カバー２０１と下カバー２０２の−Ｚ方向側を覆うアイカップ、２０４はビューファインダー２とビデオカメラ本体１とを繋ぐヒンジ機構、１０１はビデオカメラ本体１の上面を覆うトップカバー、１０２はビデオカメラ本体１の背面を覆うリアカバー、１０３はビデオカメラ本体１の駆動を制御し、ビューファインダー２に映像信号を送るメイン基板である。
【００２７】
２０５は撮影画像や再生画像、設定画面等を表示するビューファインダー用の表示ユニット、２０６は表示ユニット２０５内で液晶パネルを実装し、駆動回路を有するパネル基板、２０７はメイン基板１０３から映像信号を変換してパネル基板２０６に伝送するビューファインダー基板、２０８はビューファインダー基板２０７とメイン基板１０３とを電気的に繋ぐフレキシブル回路基板、２０９はパネル基板２０６の熱を＋Ｚ方向に熱伝導する放熱ゴム、２１０（斜線部）は放熱ゴム２０９によって熱伝導された熱をビューファインダー上面（＋Ｙ方向）に拡散させる放熱シート、２１１は表示ユニット２０５に表示された画像を拡大するレンズユニットであり、ユニットホルダー２１２で各部材２０５〜２０７、２０９〜２１１を保持している。
【００２８】
パネル基板２０６は液晶パネルや駆動回路や光源を備えており、ビューファインダー２内で発熱源となっているため、パネル基板２０６自身が熱によって画質劣化することを防ぐために、放熱しなければならない。また、メイン基板１０３もビデオカメラ本体１を駆動制御するために様々なＩＣを実装しているため、それぞれが発熱源となり、近傍に配置されたビューファインダー２の内部温度を高くする原因となっている。
【００２９】
図３を用いて、放熱ゴム２０９と放熱シート２１０の構成を説明する。図３（ａ）はビューファインダー２の要部分解斜視図であり、図３（ｂ）はユニットホルダー２１２に放熱シート２１０を組み込む途中の様子を示し、図３（ｃ）はユニットホルダー２１２に放熱シート２１０を組み込んだ状態を示す。
【００３０】
図３（ａ）に示すように、ユニットホルダー２１２はＺ方向−側に空洞部２１２ａとＺ方向＋側に空洞部２１２ｂを持つ形状をしており、空洞部２１２ａにレンズユニット２１１、空洞部２１２ｂに表示ユニット２０５等が組み込まれている。
【００３１】
２１３は表示ユニット２０５とレンズユニット２１１の間に配置される偏光板等の光学部品、２１４は表示ユニット２０５を保持してユニットホルダー２１２に組み込むためのパネルホルダー、２１５は表示ユニット２０５や放熱ゴム２０９、放熱シート２１０をユニットホルダー２１２の空洞部に位置決めする保持部材、２１６はビューファインダー基板２０７を保持してユニットホルダー２１２に固定する固定部材、２１７はビューファインダー基板２０７とヒンジ機構２０４を接続する接続板金、２１８は以上の構成をユニットホルダー２１２に固定する固定ねじである。
【００３２】
空洞部２１２ｂには、光学部品２１３、表示ユニット２０５を保持したパネルホルダー２１４が組み込まれた後、放熱ゴム２０９をパネル基板２０６の表面に貼り付け、放熱シート２１０が放熱ゴム２０９を覆うように組み込まれる。
【００３３】
図３（ｂ）に示すように、放熱シート２１０は可撓性を有するシート部材で、片面は熱伝導性の高い例えば銅などの金属箔、反対面は絶縁性のある例えばＰＥＴ材などから成るシートを貼り合わせた部材であり、放熱ゴム２０９と接する接触部２１０ａと、ビューファインダー上面（＋Ｙ方向）に熱を拡散させる放熱部２１０ｂ、ユニットホルダー２１２に固定ねじ２１８によって固定される固定部２１０ｃとから成る。図３（ｂ）、図３（ｃ）に示す放熱シート２１０は片面を破線で、もう片面を波線で示しているが、本実施形では破線側を金属箔面、波線側をＰＥＴ面としている。放熱ゴム２０９は硬度の柔らかい材質から成り、パネル基板２０６上に配置されるＩＣの凹凸に倣って追従して放熱シート２１０へ熱を伝える。
【００３４】
次に、図３（ｂ）（ｃ）を用いて、放熱シート２１０の組み込み方を説明する。図３（ｂ）に示すように、放熱部２１０ｂの＋Ｚ側をユニットホルダー２１２の上面に置き、ユニットホルダー２１２上面に形成された２本のボス部２１２ｃに、放熱シート２１０の位置決め穴２１０ｂ０を圧入する。位置決め穴２１０ｂ０は、ボス２１２ｃの径よりも小さい径の穴に、スリットが設けられており、ボス２１２ｃに嵌めこむと圧入状態で固定される。
【００３５】
次に、図３（ｃ）に示すように、接触部２１０ａを放熱ゴム２０９上に貼り合わせるように放熱部２１０ｂから矢印Ａ方向に折り曲げる。この時、パネル基板２０６に接触部２１０ａが接触してもパネル基板２０６がショートしないように、絶縁性のあるＰＥＴ面（波線側）を放熱ゴム２０９に接触させるようにしている。
【００３６】
続いて、放熱部２１０ｂの−Ｚ側を放熱部２１０ｂの真ん中に形成された切り欠き部２１０ｂ４を中心にして矢印Ｂ方向に折り曲げ、図３（ｃ）に示すように位置決め穴２１０ｂ１をボス２１２ｃに圧入する。位置決め穴２１０ｂ１は、位置決め穴２１０ｂ０と同様の形状を成しており、放熱部２１０ｂの−Ｚ側は圧入状態で固定される。このようにして、放熱シート２１０はボス２１２ｃに圧入されながら組み立てるため、放熱シート２１０が暴れる心配はなく、切り欠き部２１０ｂ４を目安にして楽に折り曲げることもできるため、組立て性は良好である。
【００３７】
ここで、図３に示すように、ユニットホルダー２１２の上面には、空洞部２１２ａと空洞部２１２ｂの間に、穴２１２ｄが形成されている。この穴２１２ｄは、図２に示すように上カバー２０１に設けられた穴２０１ａと繋がっており、アイカップ２０３を外した時に外観側から穴２０１ａに風を送ると、レンズユニット２１１や表示ユニット２０５に送り込まれた風が到達し、内部の粉塵を除去することができる。そのため、放熱シート２１０にも穴部２１０ｂ２、２１０ｂ３が形成されており、図３（ｃ）の状態で放熱シート２１０が位置決め穴２１０ｂ０、２１０ｂ１が位置決めされると、穴部２１０ｂ２、２１０ｂ３もユニットホルダー２１２の穴２１２ｄに合った状態で位置する。
【００３８】
固定部２１０ｃは、図３（ｃ）のように折り曲げ、ビューファインダー基板２０７と接続板金２１７に挟まれて、固定ねじ２１８によって固定される。
【００３９】
このようにして、図４に示すように、発熱源となるパネル基板２０６の熱は、放熱ゴム２０９を介して放熱シート２１０の接触部２１０ａから放熱部２１０ｂへと破線矢印Ｃのように伝導し、放熱部２１０ｂの表面積が広いために熱は拡散される。熱は、温度が高いほうから低いほうへ流れる性質と合わせて、放熱シート２１０の形状も接触部２１０ａから放熱部２１０ｂへ上方へ流れる形状となっているため、放熱効果がより高くなる。また、メイン基板１の熱によってビューファインダー２の内部温度が高くなっても、放熱シート２１０によって上方へ放熱することができる。
【００４０】
図２、図３に示すように、放熱部２１０ｂはビューファインダー２の上面に位置するが、上面は上カバー２０１とゴム等の熱伝導性の低い材質から成るアイカップ２０３で覆っているため、外観部の温度上昇を軽減できる。
【００４１】
もしパネル基板２０６の発熱が、放熱部２１０ｂでも拡散しきれない場合は、図５に示すように放熱部を更に長く伸ばし、折り曲げ回数を増やして表面積を増やせば良い。図５（ａ）はユニットホルダー２１２に放熱シート２２０を組み込む途中の様子を示し、図５（ｂ）はユニットホルダー２１２に放熱シート２２０を組み込んだ状態を示す。
【００４２】
図５（ａ）に示すように、放熱シート２２０は、放熱シート２１０に比べて放熱部２２０ｂが２倍近く延長されている。組立て方法は放熱シート２１０と同様であり、図５（ｂ）に示すように放熱部２２０ｂは折りたたまれて位置決め穴によって位置決めされる。放熱部２２０ｂが延長されると、熱容量が大きくなるため、更なる熱の拡散が実現でき、パネル基板２０６の熱を効果的に放熱することができる。放熱シートの拡大は、図５に示すように縦長の放熱シートでなくても、例えばユニットホルダー２１２の両側面（Ｘ方向）に拡がるような形状であってもよい。
【００４３】
このように、発熱源の熱を表面積の大きな放熱シートに拡散させることができるので、省スペースでありながら低コストで放熱を実現でき、ビューファインダーを大型化させる心配はない。また、放熱部の周りは外観カバーとアイカップで覆っているため、外観部の温度上昇を軽減できる。また、放熱シートは組立ての途中で圧入して位置決めされるため、折り曲げ部分が広がって組立てにくくなることはなく、粉塵除去用の穴も確保できる。
【００４４】
以上、本発明をその好適な実施形態に基づいて詳述してきたが、本発明はこれら特定の実施形態に限られるものではなく、この発明の要旨を逸脱しない範囲の様々な形態も本発明に含まれる。また上述の実施形態の一部を適宜組み合わせてもよい。
【符号の説明】
【００４５】
１  ビデオカメラ本体、２  ビューファインダー、３  マウント部、４  撮影ボタン、
１０１  トップカバー、１０２  リアカバー、１０３  メイン基板、２０１  上カバー、
２０２  下カバー、２０３  アイカップ、２０４  ヒンジ機構、２０５  表示ユニット、
２０６  パネル基板、２０７  ビューファインダー基板、
２０８  フレキシブル回路基板、２０９  放熱ゴム、２１０  放熱シート、
２１１  レンズユニット、２１２  ユニットホルダー、２１３  光学部品、
２１４  パネルホルダー、２１５  保持部材、２１６  固定部材、２１７  接続板金、
２１８  固定ねじ
【図１】
2016054425.tif 000003
【図２】
2016054425.tif 000004
【図３】
2016054425.tif 000005
【図４】
2016054425.tif 000006
【図５】
2016054425.tif 000007